(57)【要約】【課題】患者にとってより快適な、または患者に合う歯科用吸収パッドを提供すること。【解決手段】歯科用吸収パッド（１０）は、上面（１２）、下面（１３）および周囲マージン領域（１５）を形成するように折り重ねられる透湿性外層（１１）を有する。折り重ねられた外層は、上面と下面との間にキャビティを形成し、その中に、支持されない自由流動する粒状の超吸収性材料の集合体（１６）が充填される。粒状の超吸収性材料の集合体は、１から８５０ミクロンの粒度または粒径の架橋ポリアクリル酸のナトリウム塩の粒子であってよい【選択図】図１
2018143763.tif 000002
【特許請求の範囲】
【請求項１】
歯科用吸収パッドであって：
内部キャビティを画成する透湿性外層と、
前記キャビティ内に位置する自由流動する粒状の吸湿性材料の集合体と
を含む、前記歯科用吸収パッド。
【請求項２】
前記透湿性外層の一部分の外面に連結される接着層をさらに含む、請求項１に記載の歯科用吸収パッド。
【請求項３】
前記自由流動する粒状の吸収性材料の集合体は、粒状の架橋ポリアクリル酸のナトリウム塩から作られる、請求項１に記載の歯科用吸収パッド。
【請求項４】
前記粒状の架橋ポリアクリル酸のナトリウム塩は、１から８５０ミクロンの粒径を有する、請求項３に記載の歯科用吸収パッド。
【請求項５】
前記自由流動する粒状の吸収性材料の集合体は、１から８５０ミクロンの粒度を有する、請求項１に記載の歯科用吸収パッド。
【請求項６】
前記外層は、親水性コーティングを含むポリプロピレン材料の層である、請求項１に記載の歯科用吸収パッド。
【請求項７】
歯科用吸収パッドであって：
第１の層および第２の層を形成するように折り重ねられる透湿性外層であって、前記第１の層と前記第２の層との間には空間がある、該透湿性外層と、
前記空間内に位置する自由流動する吸湿性材料の集合体と
を含む、前記歯科用吸収パッド。
【請求項８】
前記透湿性外層の一方の前記層の外面に連結される接着層をさらに含む、請求項７に記載の歯科用吸収パッド。
【請求項９】
前記自由流動する吸収性材料の集合体は、粒状の架橋ポリアクリル酸のナトリウム塩から作られる、請求項７に記載の歯科用吸収パッド。
【請求項１０】
前記粒状の架橋ポリアクリル酸のナトリウム塩は、１から８５０ミクロンの粒径を有する、請求項９に記載の歯科用吸収パッド。
【請求項１１】
前記自由流動する吸収性材料の集合体は、粒状であり、１から８５０ミクロンの粒度を有する、請求項７に記載の歯科用吸収パッド。
【請求項１２】
前記外層は、親水性コーティングを含むポリプロピレン材料の層である、請求項７に記載の歯科用吸収パッド
【請求項１３】
歯科用吸収パッドであって：
少なくとも唾液を透過することができる部分を有し、支持されない粒状の吸湿性材料の集合体を囲繞する、外側エンベロープ
を含む、前記歯科用吸収パッド。
【請求項１４】
前記外側エンベロープの一部分の外面に連結される接着層をさらに含む、請求項１３に記載の歯科用吸収パッド。
【請求項１５】
前記支持されない粒状の吸収性材料の集合体は、粒状の架橋ポリアクリル酸のナトリウム塩から作られる、請求項１３に記載の歯科用吸収パッド。
【請求項１６】
前記粒状の架橋ポリアクリル酸のナトリウム塩は、１から８５０ミクロンの粒径を有する、請求項１５に記載の歯科用吸収パッド。
【請求項１７】
前記支持されない粒状の吸収性材料の集合体は、１から８５０ミクロンの粒度を有する、請求項１３に記載の歯科用吸収パッド。
【請求項１８】
前記外側エンベロープは、親水性コーティングを含むポリプロピレン材料の層である、請求項１３に記載の歯科用吸収パッド。
【発明の詳細な説明】
【技術分野】
【０００１】
関連出願の相互参照
出願人は、２０１７年３月３日出願、歯科用吸収パッド（Ｄｅｎｔａｌ  Ａｂｓｏｒｂｅｎｔ  Ｐａｄ）という名称の米国仮特許出願第６２／４６６，４２２号の利得を請求する。
【０００２】
本発明は、一般に、吸収パッドに関し、詳細には、歯科業界で使用される吸収パッドに関する。
【背景技術】
【０００３】
歯科医療では、歯科処置の間、患者の口腔からの唾液を吸収するのに小さな吸収パッドがしばしば使用される。これらのパッドは、典型的には、歯と頬または歯と舌との間に位置し、飽和状態になったら取り替えられる。
【０００４】
最も一般的なタイプの歯科用吸収パッドは、単なる綿の集合体（ｍａｓｓ）または巻いたものである。これらの巻き綿は、吸収性をもたらすことができる間、一般に水分で膨張し、正しい配置が困難になることがある。
【０００５】
最も効果的な歯科用吸収パッドは、典型的には、ナイロン織物で作られる透湿性外層と、超吸収性ポリマーのコアと、湿分不透過性のポリエチレンフィルムの第２の外層とを有する。これらの材料は、硬化されたホットメルト接着剤の厚層により共に保持される。しかしながら、この硬化された接着剤によって、パッドの周縁が堅くなり、擦過が引き起こされ、それによって口腔組織の炎症が引き起こされることがある。
【０００６】
特許文献１には、他のタイプの歯科用吸収パッドが示されている。ここでは、吸収パッドは、超吸収性材料を取り囲む液体輸送包装体を有する。超吸収性材料は、典型的には、綿材料のシートであり、その綿材料内に埋め込まれた高吸収性ポリマーの粒子を支持する。このタイプのデバイスの問題としては、高吸収性ポリマーの粒子が、綿材料から解放されてしまい、液体輸送包装体を通って移動してしまうことである。したがって、高吸収性ポリマーの粒子が、患者の口腔に解放されてしまう。さらに、この製品は、その全体の形状が、構造的な完全性または歯科用吸収パッドを支持する綿材料のシートの形状に制限され、個人の口腔に合わないことがある。
【先行技術文献】
【特許文献】
【０００７】
【特許文献１】特許公報ＷＯ２０１４００３６４２Ａ１
【発明の概要】
【発明が解決しようとする課題】
【０００８】
したがって、患者にとってより快適な、または患者に合う歯科用吸収パッドが依然として必要とされていることが理解されよう。本発明は主に、そのような歯科用吸収パッドを提供することを対象とする。
【課題を解決するための手段】
【０００９】
歯科用吸収パッドは、内部キャビティを画成する透湿性外層と、キャビティ内に位置する自由流動する粒状の吸湿性材料の集合体とを含む。
【図面の簡単な説明】
【００１０】
【図１】本発明の好ましい一態様による歯科用吸収パッドの斜視図である。
【図２】図１の歯科用吸収パッドの断面図である。
【図３】本発明の他の実施形態による歯科用吸収パッドの上面図である。
【図４】本発明の他の実施形態による歯科用吸収パッドの上面図である。
【図５】本発明の他の実施形態による歯科用吸収パッドの斜視図である。
【発明を実施するための形態】
【００１１】
次に、図面を参照すると、図１および図２には、好ましい一形態による本発明の原理を用いた歯科用吸収パッド１０が示されている。歯科用吸収パッド１０は、上面１２および下面１３を含むエンベロープを形成するように折り重ねられる、透湿性カバー、すなわち外層１１を有する。折り重ねられた外層１１は、マージン領域１５を形成するように、その折り重ねられていない周縁１４に沿って結合される。歯科用吸収パッド１０は、全体的に台形の形状を有するが、本明細書に記載の変形形態に加えて、従来技術の三日月形のパッドよりも口腔において舌（舌下腺）の下により良く合い、より快適性をもたらすと考えられる他の形状を使用することもできる。これらの他の形状は、三日月形、双曲線形、枕形または円柱形などを含むことができる。
【００１２】
折り重ねられた外層１１は、上面１２と下面１３との間にキャビティまたは空間を形成し、そこに支持されない自由流動する粒状の超吸収性材料の集合体１６が充填される。支持されない、すなわち自由流動する粒状材料の集合体という用語は、支持するまたは第２の物質によって動きが制限または拘束される粒状材料よりはむしろ自由に動くまたは流動することができる粒状材料からなる集合体、すなわち本質的に第２の材料がない粒状材料の集合体を示すものとする。
【００１３】
粒状の超吸収性材料の集合体１６は、架橋ポリアクリル酸のナトリウム塩の粒子であってよい。粒状材料は、１〜８５０ミクロンの粒度（ｇｒａｉｎ  ｓｉｚｅ）または粒径を有することができる。外層１１は、依然として唾液の通過を可能にする、粒状の超吸収性材料を含むようなサイズの、隙間を有する材料から作られることが好ましい。外層１１は、非常に薄い高密度織成網または不織網（ｎｏｎ−ｗｏｖｅｎ  ｎｅｔｔｉｎｇ）で作ることができる。たとえば、外層１１は、親水性コーティングを含む不織のスパンボンド加工されたポリプロピレン材料であってよい。
【００１４】
パッドのマージン領域１５は、熱溶着または別のやり方で溶着もしくは結合される非常に薄い可撓性層の材料から形成され、従来技術のパッドとは対照的に、堅くないと考えられる。さらに、この周囲領域の剛性および厚さの減少により、口腔組織に対する周縁の擦過が減少し、したがって、従来技術の歯科用吸収パッドよりも本発明の快適性がさらに上がる。
【００１５】
材料の組成は、本明細書に列挙されるものに制限されるものではなく、具体的に好ましい実施形態に使用されるものと異なってもよいと理解されたい。たとえば、外層１１は、織成ナイロンまたは不織繊維などの織成、不織、または多孔質のポリマー材料から作ることができる。同様に、超吸収性材料１６は、従来から既知の他のタイプの超吸収性材料の粒子から作ることができ、また他の粒状の充填材料を補充してもよい。
【００１６】
場合により、吸収パッド１０は、下面１３の外面の上に乾式接着層１８を含むこともできる。接着層１８は、使用中、吸収パッド１０を患者の口腔組織に接着することによって、口腔内での吸収パッド１０の位置を維持する助けとなる。接着層１８は、唾液、水または他の液体との接触により起動される。
【００１７】
自由流動する粒子の集合体を使用することによって、歯科用パッドは、患者の口腔の内側に合う形状をより簡単にとることができるようになる。このように合うことができることにより、吸収性材料の粒子を保持するための内部支持構造を有するパッドとは対照的に、使用中における歯科用パッドにより良好かつより快適なフィット具合がもたらされる。
【００１８】
使用において、吸収パッド１０は、患者の口腔に配置される。この領域の唾液は、外層１１を通過し、粒状の超吸収性材料１６によって吸収される。唾液を吸収しても、吸収パッド１０のサイズまたは体積に大きな増加はない。
【００１９】
次に、図３に示される実施形態を参照すると、図３の歯科用吸収パッド３０は、外形を除いて、図１および図２に示されるものと本質的に同じである。歯科用吸収パッド３０は、全体的に角がまるくされた三角形を有する。歯科用吸収パッド３０は、外層１１と、マージン領域１５と、自由流動する粒状の超吸収性材料の集合体１６が充填されるキャビティとを含む。
【００２０】
次に、図４に示される実施形態を参照すると、図４の歯科用吸収パッド４０は、外径を除いて、図１および図２に示されるものと本質的に同じである。歯科用吸収パッド４０は、全体的に三日月形、すなわち弓状形状を有する。歯科用吸収パッド４０は、外層１１と、マージン領域１５と、自由流動する粒状の超吸収性材料の集合体１６が充填されるキャビティとを含む。
【００２１】
次に、図５に示される実施形態を参照すると、図５の歯科用吸収パッド５０は、外径を除いて、図１および図２に示されるものと本質的に同じである。歯科用吸収パッド５０は、全体的に枕形、すなわちやや円柱形の形状を有する。歯科用吸収パッド５０は、外層１１と、マージン領域１５と、自由流動する粒状の超吸収性材料の集合体１６が充填されるキャビティとを含む。
【００２２】
したがって、患者にとってより快適な歯科用吸収パッドがこのように提供されることが理解されよう。本発明をその好ましい実施形態を具体的に参照して詳細に述べてきたが、以下の特許請求の範囲に示される本発明の趣旨および範囲から逸脱することなく、明確に列挙されているものに加えて、本発明に様々な修正および追加を加えるならびに削除を行うことができると理解されたい。
【符号の説明】
【００２３】
１０  歯科用吸収パッド
１１  外層
１２  上面
１３  下面
１４  周縁
１５  マージン領域
１６  超吸収性材料の集合体
１８  接着層
３０  歯科用吸収パッド
４０  歯科用吸収パッド
５０  歯科用吸収パッド
【図１】
2018143763.tif 000003
【図２】
2018143763.tif 000004
【図３】
2018143763.tif 000005
【図４】
2018143763.tif 000006
【図５】
2018143763.tif 000007
【外国語明細書】
2018143763000001.pdf